(57)【要約】  本発明は、非発言権端末から送信されたサービスデータを受信した場合、前記サービスデータのタイプおよびターゲット端末のタイプに応じて前記サービスデータの送信モードを確定し、確定された送信モードに従って前記サービスデータを前記ターゲット端末に送信することを含む、クラスタリングシステムに基づくサービススケジューリング方法を開示する。同時に、本発明は、クラスタリングシステムおよびクラスタリングシステムに基づく端末を開示する。本発明に係る技術的解決手段によれば、非発言権端末ユーザは、サービスデータの送信を行うことができ、それによって非発言権端末ユーザは、サービスデータの受信だけでなく、サービスデータの送信を行うことができ、並行されるサービスデータ送信を実現し、クラスタリングシステムのリソース利用率を向上させる。【選択図】図１
2016521096.tif 000002
【特許請求の範囲】
【請求項１】
コアネットワークが含まれるクラスタリングシステムに基づくサービススケジューリング方法であって、
前記コアネットワークが非発言権端末から送信されたサービスデータを受信した場合、前記サービスデータのタイプおよびターゲット端末のタイプに応じて前記サービスデータの送信モードを確定し、確定された送信モードに従って前記サービスデータを前記ターゲット端末に送信することを含む、前記サービススケジューリング方法。
【請求項２】
前記サービスデータのタイプおよびターゲット端末のタイプに応じて前記サービスデータの送信モードを確定することは、
前記コアネットワークが、前記サービスデータのタイプが現在のサービスデータのタイプと一致しないことを確定した場合、さらに前記ターゲット端末が非クラスタ端末であることを確定した場合、コアネットワークを介して前記非発言権端末と前記ターゲット端末の呼接続を確立し、前記呼接続を介して前記サービスデータを送信し、さらに前記ターゲット端末が前記非発言権端末の属するクラスタにあることを確定した場合、前記コアネットワークを介して前記サービスデータを送信し、さらに前記ターゲット端末が前記非発言権端末の属するクラスタ以外のクラスタにあることを確定した場合、前記コアネットワークを介して前記非発言権端末と前記ターゲット端末の属するクラスタの呼接続を確立し、前記呼接続を介して前記サービスデータを送信することを含むことを特徴とする
請求項１に記載のサービススケジューリング方法。
【請求項３】
前記サービスデータのタイプおよびターゲット端末のタイプに応じて前記サービスデータの送信モードを確定することは、
前記コアネットワークが、前記サービスデータのタイプが現在のサービスデータのタイプと一致することを確定した場合、さらに前記ターゲット端末が前記非発言権端末の属するクラスタにあることを確定した場合、前記非発言権端末のために発言権を申請し、発言権申請が成功した後、前記サービスデータを送信し、さらに前記ターゲット端末が前記非発言権端末の属するクラスタにないことを確定した場合、現在のサービスデータの解放を待ち、現在のサービスデータが解放された後、前記サービスデータを送信することをさらに含むことを特徴とする
請求項１または２に記載のサービススケジューリング方法。
【請求項４】
非発言権端末から送信されたサービスデータを受信する前に、当該方法は、
前記非発言権端末が、前記サービスデータのタイプが現在のサービスデータのタイプと一致しないことを確定した場合、基地局を介して前記サービスデータをコアネットワークに送信することをさらに含むことを特徴とする
請求項１に記載のサービススケジューリング方法。
【請求項５】
基地局を介して前記サービスデータをコアネットワークに送信する前に、当該方法は、
前記コアネットワークが、前記非発言権端末と前記基地局およびコアネットワークが接続を確立しないことを確定した場合、前記非発言権端末と前記基地局およびコアネットワークの接続を確立し、確立された接続を介して前記サービスデータをコアネットワークに送信することをさらに含むことを特徴とする
請求項４に記載のサービススケジューリング方法。
【請求項６】
クラスタリングシステムであって、
非発言権端末から送信されたサービスデータを受信するように構成される受信装置と、
前記サービスデータのタイプおよびターゲット端末のタイプに応じて前記サービスデータの送信モードを確定するように構成される確定装置と、
確定された送信モードに従って前記サービスデータを前記ターゲット端末に送信するように構成される送信装置とを含む、前記クラスタリングシステム。
【請求項７】
前記確定装置は、
前記送信モードが、前記サービスデータのタイプが現在のサービスデータのタイプと一致しないことを確定した場合、さらに前記ターゲット端末が非クラスタ端末であることを確定した場合、コアネットワークを介して前記非発言権端末と前記ターゲット端末の呼接続を確立し、前記呼接続を介して前記サービスデータを送信するように構成される第一の送信モード確定モジュールと、
前記送信モードが、前記サービスデータのタイプが現在のサービスデータのタイプと一致しないことを確定した場合、さらに前記ターゲット端末が前記非発言権端末の属するクラスタにあることを確定した場合、前記コアネットワークを介して前記サービスデータを送信するように構成される第二の送信モード確定モジュールと、
前記送信モードが、前記サービスデータのタイプが現在のサービスデータのタイプと一致しないことを確定した場合、さらに前記ターゲット端末が前記非発言権端末の属するクラスタ以外のクラスタにあることを確定した場合、前記コアネットワークを介して前記非発言権端末と前記ターゲット端末の属するクラスタとの呼接続を確立し、前記呼接続を介して前記サービスデータを送信するように構成される第三の送信モード確定モジュールとを含むことを特徴とする
請求項６に記載のクラスタリングシステム。
【請求項８】
前記確定装置は、
前記サービスデータの送信モードが、前記サービスデータのタイプが現在のサービスデータのタイプと一致することを確定した場合、さらに前記ターゲット端末が前記端末の属するクラスタにあることを確定した場合、前記端末のために発言権を申請し、発言権申請が成功した後、前記サービスデータを送信するように構成される第四の送信モード確定モジュールと、
前記サービスデータの送信モードが、前記サービスデータのタイプが現在のサービスデータのタイプと一致することを確定した場合、さらに前記ターゲット端末が前記端末の属するクラスタにないことを確定した場合、現在のサービスデータの解放を待ち、現在のサービスデータが解放された後、前記サービスデータを送信するように構成される第五の送信モード確定モジュールとをさらに含むことを特徴とする
請求項６または７に記載のクラスタリングシステム。
【請求項９】
前記非発言権端末と前記基地局およびコアネットワークが接続を確立しないことを確定した場合、前記非発言権端末と前記基地局およびコアネットワークの接続を確立するように構成される確立装置をさらに含み、
前記受信装置は、さらに、確立された接続を介して前記非発言権端末から送信されたサービスデータを受信するように構成されることを特徴とする
請求項６に記載のクラスタリングシステム。
【請求項１０】
クラスタリングシステムに基づく端末であって、
前記端末が非発言権モードでサービスデータを送信する場合、前記サービスデータのタイプが現在のサービスデータのタイプと一致しないことを確定した場合に、基地局を介して前記サービスデータをコアネットワークに送信するように構成される送信モジュールを含む、前記クラスタリングシステムに基づく端末。
【請求項１１】
前記非発言権端末と前記基地局およびコアネットワークが接続を確立しないことを確定した場合、前記非発言権端末と前記基地局およびコアネットワークの接続を確立するように構成される確立モジュールをさらに含み、
前記送信モジュールは、さらに、確立された接続を介して前記サービスデータをコアネットワークに送信するように構成されることを特徴とする
請求項１０に記載のクラスタリングシステムに基づく端末。
【請求項１２】
記憶媒体であって、
請求項１〜５のいずれか１項に記載のクラスタリングシステムに基づくサービススケジューリング方法を実行するように構成されるコンピュータプログラムを記憶している、前記記憶媒体。
【発明の詳細な説明】
【技術分野】
【０００１】
本発明は、クラスタリング通信技術に関し、特にクラスタリングシステムに基づくサービススケジューリング方法、システム、端末および記憶媒体に関する。
【背景技術】
【０００２】
クラスタリングシステムにおいて、１つのクラスタに対して複数の端末ユーザが存在し、サービスデータ伝送を行う場合、クラスタには１つだけの端末ユーザが発言権端末ユーザであるが、他の端末ユーザが非発言権端末ユーザである。発言権端末ユーザだけがサービスデータの送信を行うことができ、他の非発言権端末ユーザがサービスデータの受信だけを行うことができる。クラスタに１つだけの発言権端末ユーザ、複数の非発言権端末ユーザがあるこのようなサービスデータ伝送モードにより、非発言権端末ユーザは、サービスデータを送信できなく、それによってクラスタリングシステムのリソース利用率が低い。
【発明の概要】
【０００３】
上記の技術的問題を解決するために、本発明の実施形態は、クラスタリングシステムに基づくサービススケジューリング方法、システム、端末、および記憶媒体を提供する。これにより、非発言権端末ユーザは、サービスデータの送信を行うことができ、それによってクラスタリングシステムのリソース利用率を向上させる。
【０００４】
本発明の実施形態の技術的解決手段は、以下のように実現される。
【０００５】
本発明の実施形態に係るクラスタリングシステムに基づくサービススケジューリング方法は、
非発言権端末から送信されたサービスデータを受信した場合、前記サービスデータのタイプおよびターゲット端末のタイプに応じて前記サービスデータの送信モードを確定し、確定された送信モードに従って前記サービスデータを前記ターゲット端末に送信することを含む。
【０００６】
前記解決手段において、前記サービスデータのタイプおよびターゲット端末のタイプに応じて前記サービスデータの送信モードを確定することは、
前記サービスデータのタイプが現在のサービスデータのタイプと一致しないことを確定した場合、さらに前記ターゲット端末が非クラスタ端末であることを確定した場合に、コアネットワークを介して前記非発言権端末と前記ターゲット端末の呼接続を確立し、前記呼接続を介して前記サービスデータを送信し、さらに前記ターゲット端末が前記非発言権端末の属するクラスタにあることを確定した場合に、前記コアネットワークを介して前記サービスデータを送信し、さらに前記ターゲット端末が前記非発言権端末の属するクラスタ以外のクラスタにあることを確定した場合に、前記コアネットワークを介して前記非発言権端末と前記ターゲット端末の属するクラスタの呼接続を確立し、前記呼接続を介して前記サービスデータを送信することを含む。
【０００７】
前記解決手段において、前記サービスデータのタイプとターゲット端末のタイプに応じて前記サービスデータの送信モードを確定することは、
前記サービスデータのタイプが現在のサービスデータのタイプと一致することを確定した場合、さらに前記ターゲット端末が前記非発言権端末の属するクラスタにあることを確定した場合に、前記非発言権端末のために発言権を申請し、発言権申請が成功した後、前記サービスデータを送信し、さらに前記ターゲット端末が前記非発言権端末の属するクラスタにないことを確定した場合、現在のサービスデータの解放を待ち、現在のサービスデータが解放された後、前記サービスデータを送信することをさらに含む。
【０００８】
前記解決手段において、非発言権端末から送信されたサービスデータを受信する前に、当該方法は、
前記非発言権端末が、前記サービスデータのタイプが現在のサービスデータのタイプと一致しないことを確定した場合に、基地局を介して前記サービスデータをコアネットワークに送信することをさらに含む。
【０００９】
前記解決手段において、基地局を介して前記サービスデータをコアネットワークに送信する前に、当該方法は、
前記非発言権端末と前記基地局およびコアネットワークが接続を確立しないことを確定した場合、前記非発言権端末と前記基地局およびコアネットワークの接続を確立し、確立された接続を介して前記サービスデータをコアネットワークに送信することをさらに含む。
【００１０】
本発明の実施形態に係るクラスタリングシステムは、
非発言権端末から送信されたサービスデータを受信するように構成される受信装置と、
前記サービスデータのタイプおよびターゲット端末のタイプに応じて前記サービスデータの送信モードを確定するように構成される確定装置と、
確定された送信モードに従って前記サービスデータを前記ターゲット端末に送信するように構成される送信装置とを含む。
【００１１】
前記解決手段において、前記確定装置は、
前記送信モードが、前記サービスデータのタイプが現在のサービスデータのタイプと一致しないことを確定した場合、さらに前記ターゲット端末が非クラスタ端末であることを確定した場合に、コアネットワークを介して前記非発言権端末と前記ターゲット端末の呼接続を確立し、前記呼接続を介して前記サービスデータを送信するように構成される第一の送信モード確定モジュールと、
前記送信モードが、前記サービスデータのタイプが現在のサービスデータのタイプと一致しないことを確定した場合、さらに前記ターゲット端末が前記非発言権端末の属するクラスタにあることを確定した場合に、前記コアネットワークを介して前記サービスデータを送信するように構成される第二の送信モード確定モジュールと、
前記送信モードが、前記サービスデータのタイプが現在のサービスデータのタイプと一致しないことを確定した場合、さらに前記ターゲット端末が前記非発言権端末の属するクラスタ以外のクラスタにあることを確定した場合に、前記コアネットワークを介して前記非発言権端末と前記ターゲット端末の属するクラスタとの呼接続を確立し、前記呼接続を介して前記サービスデータを送信するように構成される第三の送信モード確定モジュールとを含む。
【００１２】
前記解決手段において、前記確定装置は、
前記サービスデータの送信モードが、前記サービスデータのタイプが現在のサービスデータのタイプと一致することを確定した場合、さらに前記ターゲット端末が前記端末の属するクラスタにあることを確定した場合に、前記端末のために発言権を申請し、発言権申請が成功した後、前記サービスデータを送信するように構成される第四の送信モード確定モジュールと、
前記サービスデータの送信モードが、前記サービスデータのタイプが現在のサービスデータのタイプと一致することを確定した場合、さらに前記ターゲット端末が前記端末の属するクラスタにないことを確定した場合に、現在のサービスデータの解放を待ち、現在のサービスデータが解放された後、前記サービスデータを送信するように構成される第五の送信モード確定モジュールとをさらに含む。
【００１３】
前記解決手段において、当該システムは、
前記非発言権端末と前記基地局およびコアネットワークが接続を確立しないことを確定した場合、前記非発言権端末と前記基地局およびコアネットワークの接続を確立するように構成される確立装置をさらに含み、
前記受信装置は、さらに、確立された接続を介して前記非発言権端末から送信されたサービスデータを受信するように構成される。
【００１４】
本発明の実施形態に係るクラスタリングシステムに基づく端末は、
前記端末が非発言権モードでサービスデータを送信する場合、前記サービスデータのタイプが現在のサービスデータのタイプと一致しないことを確定する場合に、基地局を介して前記サービスデータをコアネットワークに送信するように構成される送信モジュールを含む。
【００１５】
前記解決手段において、当該端末は、
前記非発言権端末と前記基地局およびコアネットワークが接続を確立しないことを確定した場合、前記非発言権端末と前記基地局およびコアネットワークの接続を確立するように構成される確立モジュールをさらに含み、
前記送信モジュールは、さらに、確立された接続を介して前記サービスデータをコアネットワークに送信するように構成される。
【００１６】
記憶媒体であって、前記記憶媒体は上述した、クラスタリングシステムに基づくサービススケジューリング方法を実行するように構成されるコンピュータプログラムを記憶している。
【００１７】
本発明に係るクラスタリングシステムに基づくサービススケジューリング方法、システムおよび端末において、非発言権端末から送信されたサービスデータを受信した場合、前記サービスデータのタイプとターゲット端末のタイプに応じて前記サービスデータの送信モードを確定し、そして確定された送信モードに従って前記サービスデータを前記ターゲット端末に送信する。これにより非発言権端末ユーザは、サービスデータの送信を行うことができ、それによって非発言権端末ユーザは、サービスデータの受信だけでなく、サービスデータの送信を行うことができ、並行されるサービスデータ送信を実現し、クラスタリングシステムのリソース利用率を向上させる。
【図面の簡単な説明】
【００１８】
【図１】本発明の実施形態に係るクラスタリングシステムに基づくサービススケジューリング方法の実現プロセスを示す図一である。
【図２】本発明の実施形態に係るクラスタリングシステムに基づくサービススケジューリング方法の実現プロセスを示す図二である。
【図３】本発明の実施形態に係るクラスタリングシステムに基づくサービススケジューリング方法の実現プロセスを示す図三である。
【図４】本発明の実施形態に係るクラスタリングシステムに基づくサービススケジューリング方法の実現プロセスを示す図四である。
【図５】本発明の実施形態に係るクラスタリングシステムに基づくサービススケジューリング方法の実現プロセスを示す図五である。
【図６】本発明の実施形態に係るクラスタリングシステムに基づくサービススケジューリング方法の実現プロセスを示す図六である。
【図７】本発明の実施形態に係るクラスタリングシステムに基づくサービススケジューリング方法の実現プロセスを示す図七である。
【図８】本発明の実施形態に係るクラスタリングシステムの構造構成図である。
【図９】本発明の実施形態に係るクラスタリングシステムに基づく端末の構造構成図である。
【発明を実施するための形態】
【００１９】
本発明の特徴と技術内容をより詳しく理解するために、以下、図面を参照して本発明の実施形態を詳しく説明する。添付図面は参照説明のために提供されるものだけであり、本発明を限定することに用いられるものではない。
【００２０】
本発明の実施形態に係るコアネットワークが含まれるクラスタリングシステムに基づくサービススケジューリング方法は、図１に示すように、以下のステップを含む。
【００２１】
ステップ１０１において、コアネットワークは、非発言権端末から送信されたサービスデータを受信した場合、前記サービスデータのタイプおよびターゲット端末のタイプに応じて前記サービスデータの送信モードを確定する。
【００２２】
好ましくは、前記サービスデータのタイプおよびターゲット端末のタイプに応じて前記サービスデータの送信モードを確定することは、
コアネットワークが、前記サービスデータのタイプが現在のサービスデータのタイプと一致しないことを確定した場合、さらに前記ターゲット端末が非クラスタ端末であることを確定した場合に、コアネットワークを介して前記非発言権端末と前記ターゲット端末の呼接続を確立し、前記呼接続を介して前記サービスデータを送信し、さらに前記ターゲット端末が前記非発言権端末の属するクラスタにあることを確定した場合に、前記コアネットワークを介して前記サービスデータを送信し、さらに前記ターゲット端末が前記非発言権端末の属するクラスタ以外のクラスタにあることを確定した場合に、前記コアネットワークを介して前記非発言権端末と前記ターゲット端末の属するクラスタの呼接続を確立し、前記呼接続を介して前記サービスデータを送信することを含む。
【００２３】
ここで、前記ターゲット端末が前記非発言権の属するクラスタにないことは、前記ターゲット端末が非クラスタ端末であること、または前記ターゲット端末が前記非発言権端末の属するクラスタ以外のクラスタにあることである。
【００２４】
好ましくは、前記サービスデータのタイプおよびターゲット端末のタイプに応じて前記サービスデータの送信モードを確定することは、
コアネットワークが、前記サービスデータのタイプが現在のサービスデータのタイプと一致しないことを確定した場合、前記サービスデータをサービスデータ転送装置に送信し、さらに前記ターゲット端末が非クラスタ端末であることを確定した場合、前記サービスデータ転送装置およびコアネットワークを介して前記非発言権端末と前記ターゲット端末の呼接続を確立し、前記呼接続を介して前記サービスデータを送信し、さらに前記ターゲット端末が前記非発言権端末の属するクラスタにあることを確定した場合、前記サービスデータ転送装置およびコアネットワークを介して前記サービスデータを送信し、さらに前記ターゲット端末が前記非発言権端末の属するクラスタ以外のクラスタにあることを確定した場合、前記サービスデータ転送装置およびコアネットワークを介して前記非発言権端末と前記ターゲット端末の属するクラスタの呼接続を確立し、前記呼接続を介して前記サービスデータを送信することをさらに含む。
【００２５】
好ましくは、前記非発言権端末から送信されたサービスデータを受信する前に、ステップ１０１は、
前記非発言権端末が、前記サービスデータのタイプと現在のサービスデータのタイプが一致しないことを確定した場合、基地局を介して前記サービスデータをコアネットワークに送信することをさらに含む。
【００２６】
好ましくは、基地局を介して前記サービスデータをコアネットワークに送信する前に、ステップ１０１は、
コアネットワークが、前記非発言権端末と前記基地局およびコアネットワークが接続を確立しないことを確定した場合、前記非発言権端末と前記基地局およびコアネットワークの接続を確立し、確立された接続を介して前記サービスデータをコアネットワークに送信することをさらに含む。
【００２７】
ステップ１０２において、コアネットワークは、確定された送信モードに従って前記サービスデータを前記ターゲット端末に送信する。
【００２８】
具体的には、コアネットワークは、前記サービスデータのタイプが現在のサービスデータのタイプと一致することを確定した場合、前記ターゲット端末が前記非発言権端末の属するクラスタにあることを確定した場合に、前記非発言権端末のために発言権を申請し、そして発言権申請が成功した後、前記サービスデータを前記ターゲット端末に送信し、さらに前記ターゲット端末が前記非発言権端末の属するクラスタにないことを確定した場合に、現在のサービスデータの解放を待ち、そして現在のサービスデータが解放された後、前記サービスデータを前記ターゲット端末に送信する。または、前記サービスデータのタイプが現在のサービスデータのタイプと一致しないことを確定した場合、さらに前記ターゲット端末が非クラスタ端末であることを確定した場合に、コアネットワークを介して前記非発言権端末と前記ターゲット端末の呼接続を確立し、前記呼接続を介して前記サービスデータを前記ターゲット端末に送信し、さらに前記ターゲット端末が前記非発言権端末の属するクラスタにあることを確定した場合に、前記コアネットワークを介して前記サービスデータを前記ターゲット端末に送信し、さらに前記ターゲット端末が前記非発言権の属するクラスタ以外のクラスタにあることを確定した場合に、前記コアネットワークを介して前記非発言権端末と前記ターゲット端末の属するクラスタの呼接続を確立し、前記呼接続を介して前記サービスデータを前記ターゲット端末に送信する。
【００２９】
以下、具体的な実施形態を参照して図１に示すクラスタリングシステムに基づくサービススケジューリング方法をさらに説明する。
【００３０】
クラスタリングシステムにおいて、クラスタＡがすでに呼接続を確立し、発言権端末が前記呼接続を介して音声サービスデータの送信を行い、非発言権端末が前記呼接続を介して音声サービスデータの受信を行い、クラスタＡにおける１つの非発言権端末ａが非クラスタ端末ｃへショートメッセージサービスデータを送信する必要があり、図１に示すクラスタリングシステムに基づくサービススケジューリング方法に基づいて、図２に示すステップを実行する必要がある。
【００３１】
ステップ２０１において、非発言権端末ａは、送信されたショートメッセージサービスデータが現在の音声サービスデータのタイプと一致しないことを確定する。
【００３２】
ステップ２０２において、非発言権端末ａは、基地局およびコアネットワークと接続を確立するかどうかを確定し、接続が確立されない場合、基地局およびコアネットワークとの接続を確立する。
【００３３】
ステップ２０３において、非発言権端末ａは、確立された接続を介してショートメッセージサービスデータを前記コアネットワークに送信する。
【００３４】
ステップ２０４において、コアネットワークが、ターゲット端末が非クラスタ端末ｃであることを確定し、そして非発言権端末ａから送信されたショートメッセージサービスデータが現在の音声サービスデータのタイプと一致しないことを確定した場合、非発言権端末ａと非クラスタ端末ｃの呼接続を確立し、前記呼接続を介してショートメッセージサービスデータを非クラスタ端末ｃに送信する。
【００３５】
クラスタリングシステムにおいて、クラスタＡがすでに呼接続を確立し、発言権端末が前記呼接続を介して音声サービスデータの送信を行い、非発言権端末が前記呼接続を介して音声サービスデータの受信を行い、クラスタＡにおける１つの非発言権端末ａがクラスタＡにおけるすべての端末へピクチャサービスデータを送信する必要があり、図１に示すクラスタリングシステムに基づくサービススケジューリング方法に基づいて、図３に示すステップを実行する必要がある。
【００３６】
ステップ３０１において、非発言権端末ａは、送信されたピクチャサービスデータが現在の音声サービスデータのタイプと一致しないことを確定する。
【００３７】
ステップ３０２において、非発言権端末ａは、基地局およびコアネットワークと接続を確立するかどうかを確定し、接続が確立されない場合、基地局およびコアネットワークとの接続を確立する。
【００３８】
ステップ３０３において、非発言権端末ａは、確立された接続を介してショートメッセージサービスデータを前記コアネットワークに送信する。
【００３９】
ステップ３０４において、コアネットワークが、ターゲット端末が非発言権端末ａの存在するクラスタＡのすべての端末であることを確定し、そして非発言権端末ａから送信されたピクチャサービスデータが現在の音声サービスデータのタイプと一致しないことを確定した場合、コアネットワークによって確立されたチャネルを介して前記ピクチャサービスデータをクラスタＡのすべての端末に送信する。
【００４０】
前記解決手段において、非発言権端末ａが音声サービスデータを受信するとともに、ピクチャサービスデータを送信し、クラスタＡにおける発言権端末が音声サービスデータを送信するとともに、ピクチャサービスデータを受信し、クラスタＡにおける非発言権端末ａ以外の非発言権端末が音声サービスデータを受信するとともに、ピクチャサービスデータを受信する。これにより、サービスデータの伝送を並行して行うことを実現し、それによってクラスタリングシステムのリソース利用率を向上させる。
【００４１】
クラスタリングシステムにおいて、クラスタＡがすでに呼接続を確立し、発言権端末が前記呼接続を介して音声サービスデータの送信を行い、非発言権端末が前記呼接続を介して音声サービスデータの受信を行い、クラスタＡにおける１つの非発言権端末ａがクラスタＢにおけるすべての端末へビデオサービスデータを送信する必要があり、図１に示すクラスタリングシステムに基づくサービススケジューリング方法に基づいて、図４に示すステップを実行する必要がある。
【００４２】
ステップ４０１において、非発言権端末ａは、送信されたビデオサービスデータが現在の音声サービスデータのタイプと一致しないことを確定する。
【００４３】
ステップ４０２において、非発言権端末ａは、基地局およびコアネットワークと接続を確立するかどうかを確定し、接続が確立されない場合、基地局およびコアネットワークとの接続を確立する。
【００４４】
ステップ４０３において、非発言権端末ａは、確立された接続を介してショートメッセージサービスデータを前記コアネットワークに送信する。
【００４５】
ステップ４０４において、コアネットワークが、ターゲット端末が非発言権端末ａの存在するクラスタＡ以外のクラスタＢのすべての端末であることを確定した場合、そして非発言権端末ａから送信されたビデオサービスデータが現在の音声サービスデータのタイプと一致しないことを確定した場合、非発言権端末ａとクラスタＢの呼接続を確立し、前記確立された呼接続を介してビデオサービスデータをクラスタＢのすべての端末に送信する。
【００４６】
クラスタリングシステムにおいて、クラスタＡがすでに呼接続を確立し、発言権端末が前記呼接続を介して音声サービスデータの送信を行い、非発言権端末が前記呼接続を介して音声サービスデータの受信を行い、クラスタＡにおける１つの非発言権端末ａが非クラスタ端末ｃへ音声サービスデータを送信する必要があり、図１に示すクラスタリングシステムに基づくサービススケジューリング方法に基づいて、図５に示すステップを実行する必要がある。
【００４７】
ステップ５０１において、非発言権端末ａは、送信された音声サービスデータが現在の音声サービスデータのタイプと一致することを確定する。
【００４８】
ステップ５０２において、非発言権端末ａは、現在の音声サービスデータの解放を待ち、そして現在の音声サービスデータが解放された後、前記音声サービスデータを非クラスタ端末ｃに送信する。
【００４９】
クラスタリングシステムにおいて、クラスタＡがすでに呼接続を確立し、発言権端末が前記呼接続を介して音声サービスデータの送信を行い、非発言権端末が前記呼接続を介して音声サービスデータの受信を行い、クラスタＡにおける１つの非発言権端末ａがクラスタＡにおけるすべての端末へ音声サービスデータを送信する必要があり、図１に示すクラスタリングシステムに基づくサービススケジューリング方法に基づいて、図６に示すステップを実行する必要がある。
【００５０】
ステップ６０１において、非発言権端末ａは、送信された音声サービスデータが現在の音声サービスデータのタイプと一致することを確定する。
【００５１】
ステップ６０２において、非発言権端末ａは、発言権を申請し、そして発言権申請が成功した後、前記音声サービスデータをクラスタＡにおけるすべての端末に送信する。
【００５２】
クラスタリングシステムにおいて、クラスタＡがすでに呼接続を確立し、発言権端末が前記呼接続を介して音声サービスデータの送信を行い、非発言権端末が前記呼接続を介して音声サービスデータの受信を行い、クラスタＡにおける１つの非発言権端末ａがクラスタＢにおけるすべての端末へ音声サービスデータを送信する必要があり、図１に示すクラスタリングシステムに基づくサービススケジューリング方法に基づいて、図７に示すステップを実行する必要がある。
【００５３】
ステップ７０１において、非発言権端末ａは、送信された音声サービスデータが現在の音声サービスデータのタイプと一致することを確定する。
【００５４】
ステップ７０２において、非発言権端末ａは、現在の音声サービスデータの解放を待ち、そして現在の音声サービスデータが解放された後、前記音声サービスデータをクラスタＢにおけるすべての端末に送信する。
【００５５】
図１に示すクラスタリングシステムに基づくサービススケジューリング方法に対して、本発明の実施形態は、クラスタリングシステムを提供する。図８に示すように、当該システムは、受信装置８１、確定装置８２、および送信装置８３を含む。
【００５６】
前記受信装置８１は、非発言権端末から送信されたサービスデータを受信するように構成される。
【００５７】
前記確定装置８２は、前記サービスデータのタイプおよびターゲット端末のタイプに応じて前記サービスデータの送信モードを確定するように構成される。
【００５８】
前記送信装置８３は、確定された送信モードに従って前記サービスデータを前記ターゲット端末に送信するように構成される。
【００５９】
好ましくは、前記確定装置８２は、第一の送信モード確定モジュール８２１、第二の送信モード確定モジュール８２２および第三の送信モード確定モジュール８２３を含む。
【００６０】
前記第一の送信モード確定モジュール８２１は、前記送信モードが、前記サービスデータのタイプが現在のサービスデータのタイプと一致しないことを確定した場合、さらに前記ターゲット端末が非クラスタ端末であることを確定した場合に、コアネットワークを介して前記非発言権端末と前記ターゲット端末の呼接続を確立し、前記呼接続を介して前記サービスデータを送信するように構成される。
【００６１】
前記第二の送信モード確定モジュール８２２は、前記送信モードが、前記サービスデータのタイプが現在のサービスデータのタイプと一致しないことを確定した場合、さらに前記ターゲット端末が前記非発言権端末の属するクラスタにあることを確定した場合に、前記コアネットワークを介して前記サービスデータを送信するように構成される。
【００６２】
前記第三の送信モード確定モジュール８２３は、前記送信モードが、前記サービスデータのタイプが現在のサービスデータのタイプと一致しないことを確定した場合、さらに前記ターゲット端末が前記非発言権端末の属するクラスタ以外のクラスタにあることを確定した場合に、前記コアネットワークを介して前記非発言権端末と前記ターゲット端末の属するクラスタの呼接続を確立し、前記呼接続を介して前記サービスデータを送信するように構成される。
【００６３】
前記確定装置は、第四の送信モード確定モジュール８２４および第五の送信モード確定モジュール８２５をさらに含む。
【００６４】
前記第四の送信モード確定モジュール８２４は、前記サービスデータの送信モードが、前記サービスデータのタイプが現在のサービスデータのタイプと一致することを確定した場合、さらに前記ターゲット端末が前記端末の属するクラスタにあることを確定した場合、前記端末のために発言権を申請し、発言権申請が成功した後、前記サービスデータを送信するように構成される。
【００６５】
前記第五の送信モード確定モジュール８２５は、前記サービスデータの送信モードが、前記サービスデータのタイプが現在のサービスデータと一致することを確定した場合、さらに前記ターゲット端末が前記端末の属するクラスタにないことを確定した場合に、現在のサービスデータの解放を待ち、そして現在のサービスデータが解放された後、前記サービスデータを送信するように構成される。
【００６６】
好ましくは、当該システムは、確立装置８４をさらに含む。
【００６７】
前記確立装置８４は、前記非発言権端末と前記基地局およびコアネットワークが接続を確立しないことを確定した場合、前記非発言権端末と前記基地局およびコアネットワークの接続を確立するように構成される。
【００６８】
前記送信装置８３は、さらに確立された接続を介して前記非発言権端末から送信されたサービスデータを受信するように構成される。
【００６９】
本発明の実施形態において、受信装置８１は、基地局によって実現されることができ、確定装置８２は、基地局、基地局制御器、移動管理ユニットなどによって実現されることができ、送信装置８３は、基地局によって実現されることができる。確立装置８４は、基地局、基地局制御器などによって実現されることができる。
【００７０】
本分野の当業者は、図８に示すクラスタリングシステムにおける各装置およびそのモジュールの実現機能は、上述した、クラスタリングシステムに基づくサービススケジューリング方法の関連説明を参照して理解されることができると理解すべきである。図８に示すクラスタリングシステムにおける各装置およびそのモジュールの機能は、プロセッサに実行されるプログラムにより実現されることができ、具体的な論理回路により実現されることもできる。
【００７１】
本発明の実施形態に係るクラスタリングシステムに基づく端末は、図９に示すように、送信モジュール９１を含む。
【００７２】
前記送信モジュール９１は、前記端末が非発言権モードにあるがサービスデータを送信する場合、前記サービスデータのタイプが現在のサービスデータのタイプと一致しないことを確定した場合に、基地局を介して前記サービスデータをコアネットワークに送信するように構成される。
【００７３】
好ましくは、当該端末は、確立モジュール９２をさらに含む。
【００７４】
前記確立モジュール９２は、前記非発言権端末と前記基地局およびコアネットワークが接続を確立しないことを確定した場合、前記非発言権端末と前記基地局およびコアネットワークの接続を確立するように構成される。
【００７５】
前記送信モジュール９１は、さらに確立された接続を介して前記サービスデータをコアネットワークに送信するように構成される。
【００７６】
本発明の実施形態において、送信モジュール９１と確立モジュール９２は、いずれも端末におけるアンテナシステムによって実現されることができる。
【００７７】
本分野の当業者は、図９に示すクラスタリングシステムに基づく端末における各モジュールの実現機能が上述した、クラスタリングシステムに基づくサービススケジューリング方法の関連説明を参照して理解されることができると理解すべきである。図９に示すクラスタリングシステムに基づく端末における各モジュールの機能は、プロセッサに実行されるプログラムにより実現されることができ、具体的な論理回路により実現されることもできる。
【００７８】
本発明の実施形態に係る記憶媒体は、上述した実施形態におけるクラスタリングシステムに基づくサービススケジューリング方法を実行するように構成されるコンピュータプログラムを記憶している。
【００７９】
上記は、本発明の好ましい実施形態に過ぎなく、本発明の保護範囲を制限することに用いられるものではない。
【産業上の利用可能性】
【００８０】
本発明に係るクラスタリング基地局は、非発言権端末から送信されたサービスデータを受信した場合、前記サービスデータのタイプおよびターゲット端末のタイプに応じて前記サービスデータの送信モードを確定し、確定された送信モードに従って前記サービスデータを前記ターゲット端末に送信し、これにより非発言権端末ユーザは、サービスデータの送信を行うことができ、それによって非発言権端末ユーザは、サービスデータの受信だけでなく、サービスデータの送信を行うことができ、並行されるサービスデータ伝送を実現し、クラスタリングシステムのリソース利用率を向上させる。
【図１】
2016521096.tif 000003
【図２】
2016521096.tif 000004
【図３】
2016521096.tif 000005
【図４】
2016521096.tif 000006
【図５】
2016521096.tif 000007
【図６】
2016521096.tif 000008
【図７】
2016521096.tif 000009
【図８】
2016521096.tif 000010
【図９】
2016521096.tif 000011
【国際調査報告】
2016521096.tif 000012
2016521096.tif 000013
2016521096.tif 000014
2016521096.tif 000015